(57)【要約】      （修正有）【課題】  太陽電池モジュールを取り付ける際、外観上も見栄え良く、また太陽電池モジュールの取り付けやメンテナンスが簡単かつ効率的に行えるようにする。【解決手段】  矩形状の太陽電池モジュール１を千鳥状に複数段配置した際に、太陽電池モジュールが配置されない端部の空白部を覆うための化粧板５００であって、空白部の水平方向に突出した太陽電池モジュールの端部に接する取付端部と、空白部の垂直方向に露出した太陽電池モジュールの端部と接する係合端部とを有し、上段の太陽電池モジュールと下段の太陽電池モジュールの間の空白部分の稜線を形成するための外端部と、係合端部には、上記太陽電池モジュールの側端部に形成された折曲部に係合する折返部が形成されており、太陽電池モジュールの側端部に対して差し込むことで、上記折返部が上記太陽電池モジュールの折曲部に係合して取り付けられることとした。【選択図】  図１３
2008088687.tif 000002
【特許請求の範囲】
【請求項１】
矩形状の太陽電池モジュールを千鳥状に複数段配置した際に、太陽電池モジュールが配置されない端部の空白部を覆うための化粧板であって、
上記空白部の水平方向に突出した太陽電池モジュールの端部に接する取付端部と、
上記空白部の垂直方向に露出した太陽電池モジュールの端部と接する係合端部とを有し、
上記太陽電池モジュールの空白部分の稜線を形成する外端部と、
上記係合端部には、上記太陽電池モジュールの側端部に形成された折曲部に係合する折返部が形成されており、
上記折返部が、太陽電池モジュールの側端部に差し込まれることで、上記太陽電池モジュールの折曲部に係合して取り付けられる、
ことを特徴とする太陽電池モジュール取付用の化粧板。
【請求項２】
上記折返部は、上記係合端部のうち上記外端部からの距離が所定の範囲内の場所にのみ形成されている、
請求項1記載の太陽電池モジュール取付用の化粧板。
【請求項３】
上記太陽電池モジュールの水平方向に突出した端部にはねじ取り付けようの取付穴が形成されており、
上記取付端部には、上記取付穴の位置に対応する位置にねじ穴が形成されており、
上記取付端部が、上記太陽電池モジュールの端部に重ねられた状態で、上記ねじ穴及び取付穴にねじを挿通することにより取り付けられる、
請求項1又は２記載の太陽電池モジュール取付用の化粧板。
【請求項４】
上記太陽電池モジュールは、取付面上の傾斜に沿って施設された縦材に取り付けられており、
上記化粧板の取付面には、上記縦材が配置されていない、
請求項1〜３のいずれかに記載の太陽電池モジュール取付用の化粧板。
【請求項５】
上記化粧板は、平面略三角形状又は略台形状に形成されている、
請求項１〜４のいずれかの項に記載の太陽電池モジュール取付用の化粧板。
【発明の詳細な説明】
【技術分野】
【０００１】
本発明は、太陽電池モジュールを屋根などに取り付けるための技術であって、特に、外観上も見栄え良く、また取り付けが簡単かつ効率的に行える技術に関する。
【背景技術】
【０００２】
従来から、屋根などに太陽電池基板とフレームからなる太陽電池モジュールを取り付けるために様々な施行方法がある。特に、寄せ棟や入母屋の屋根等、屋根面の一部が屋根下り方向と鋭角をなす傾斜辺（下り棟）を有する屋根に平面矩形状の太陽電池パネルを設置すると、パネルが設置できない三角形のデッドスペースが生じるため、屋根の外観上好ましくないため、様々な施工方法がある。
一例として、このような三角形のデッドスペースを解消し、屋根の外観を良好に保つため、平面矩形状の太陽電池パネルに隣接して平面矩形状ではない異形（略三角形）の太陽電池パネルを配置した屋根への取付構造が提案されている（例えば、特許文献１）。
また、台形状のダミーの補助パネルを下り棟に沿って複数配列し、この補助パネルが配列されない屋根面の残りの部分に矩形状の主パネルを複数配列する。これにより、屋根面に余白部分がほとんど形成されないように主パネルおよび補助パネルを配列できるようになり、屋根面に主パネルおよび補助パネルが配列できない余白部分を最小限とするようにした技術が提案されている（例えば、特許文献２）。
【０００３】
【特許文献１】特開平７−９０９３９号
【特許文献２】特開平２００４−２６３５４４
【発明の開示】
【発明が解決しようとする課題】
【０００４】
しかし、上述の特許文献１のように、矩形パネルを配置してあまった部分に三角形状等の太陽電池パネルを配置する場合、パネルの製造コスト及びパネルを取り付ける際の配線やパネルの取り付け効率などを考えると、そのあまった部分のパネルによる発電量とは見合わないという問題があった。
一方、上述の特許文献２のように、ダミーパネルを取り付けることが提案されているが、その取付方が矩形パネル（主パネル）と同じように、レール上に固定金具で取り付ける構造であるため、レールを屋根一面に施設するコストと手間がかかるばかりか、レールにパネルを取り付ける部品点数も多く、コストが大きく、また取り付けの効率も悪いという問題があった。
【０００５】
本発明は、上述の課題を解決するためになされたものであって、部品点数が少なく、施工が容易な太陽電池モジュール取付用の化粧板を提供することを目的とする。
【課題を解決するための手段】
【０００６】
上記目的を達成するため、本発明の一の観点にかかる太陽電池モジュール用の化粧板は、矩形状の太陽電池モジュールを千鳥状に複数段配置した際に、太陽電池モジュールが配置されない端部の空白部を覆うための化粧板であって、上記空白部の水平方向に突出した太陽電池モジュールの端部に接する取付端部と、上記空白部の垂直方向に露出した太陽電池モジュールの端部と接する係合端部とを有し、上記太陽電池モジュールの空白部分の稜線を形成する外端部と、上記係合端部には、上記太陽電池モジュールの側端部に形成された折曲部に係合する折返部が形成されており、上記折返部が、太陽電池モジュールの側端部に差し込まれることで、上記太陽電池モジュールの折曲部に係合して取り付けられることを特徴とする。
【０００７】
また、上記折返部は、上記係合端部のうち上記外端部からの距離が所定の範囲内の場所にのみ形成されていてもよい。
【０００８】
上記太陽電池モジュールの水平方向に突出した端部にはねじ取り付けようの取付穴が形成されており、上記取付端部には、上記取付穴の位置に対応する位置にねじ穴が形成されており、上記取付端部が、上記太陽電池モジュールの端部に重ねられた状態で、上記ねじ穴及び取付穴にねじを挿通することにより取り付けられていてもよい。
【０００９】
上記太陽電池モジュールは、取付面上の傾斜に沿って施設された縦材に取り付けられており、上記化粧板の取付面には、上記縦材が配置されていないようにしてもよい。
【００１０】
また、上記化粧板は、平面略三角形状又は略台形状に形成されていてもよい。
【発明の効果】
【００１１】
本発明によれば、矩形状の太陽電池モジュールを複数段千鳥状に配置した場合に生じる空白部を化粧板によりカバーすることで、取り付けが簡単で、外観上の美観を損ねないようにすることができる。
特に、係合端部には、太陽電池モジュールの側端部に形成された折曲部に係合する折返部が形成されており、太陽電池モジュールの側端部に対して差し込むことで、折返部が太陽電池モジュールの折曲部に係合するようにしたことから、化粧板を取り付けるための固定金具などを用いなくとも、簡単に取り付けることができる。
また折返部は、上記係合端部のうち外端部からの作業者が手が届くと考えられる範囲内のみに形成されていることから、作業者が手を入れて折曲部を係合させることができる。また、手が届かない場所には折曲部が形成されていないことから、折曲部が係合部にうまく係合しないために取り付けが進まないということがなく、作業効率を高くすることができる。
【００１２】
取付端部が、太陽電池モジュールの端部に重ねられた状態で、ねじ穴及び取付穴にねじを挿通して取り付けるようにしたことから、太陽電池モジュールへのねじ止めにより屋根上にしっかりと固定され、風圧などによっても取れてしまうことがない。
また、化粧板の取付面には、上記縦材が配置されていないことから、縦材をわざわざ配置する必要がなく、コストを軽減することができるし、縦材への固定の手間をなくし、効率的に作業を行うことができる。
【発明を実施するための最良の形態】
【００１３】
以下、本発明を適用した太陽電池モジュールの化粧板の例を、図面を参照して説明する。
まず、図１に太陽電池モジュール１を屋根上に複数配置した状態を示す。
太陽電池モジュール１は、屋根３上に千鳥状に複数段にわたって配置されており、各太陽電池モジュール１は、その棟側の上端部が、軒側の下端部よりも持ち上がった形で取り付けられている。
【００１４】
太陽電池モジュール１を取り付ける屋根上などには、図５に示すように固定金具３により屋根上に固定された縦材２により屋根上に固定される。  本実施形態では、寄棟型の屋根に縦材２を配置した例であり、縦材２の長さが中央部分から両端にかけて徐々に短くなっている。
固定金具３は、図６に示すように、ねじなどにより屋根上に所定の間隔を置いて取り付けられている。固定金具３は、金属板を折り曲げて、屋根の瓦上に立ち上がった折曲部を有しており、その長板部がビスにより屋根に固定されている。また瓦上に立ち上がった折曲部上にはボルトＢを通すための穴が形成されており、差し込みボルトＢにより、この折曲部に縦材２が取り付けられるようになっている。
【００１５】
縦材２は、亜鉛めっき鋼板などの部材を折り曲げるようにして形成されており、その下端部が開口した横長の中空の四角柱状に形成されている。縦材２の上端部には、係合部２１と、長孔２２が形成されている。係合部２１は、縦材２上に、所定の間隔（太陽電池モジュール１の縦幅から接合部分１１ｇの幅を引いた長さの間隔）をおいて設けられている。これにより、係合部２１に太陽電池モジュール１が取り付けられた場合、上下に隣り合う太陽電池モジュール１の上側の太陽電池モジュール１の接合部１１ｇと下側の太陽電池モジュール１のモジュール取付部１１ｂとが重なるようになっている。この係合部２１は、縦材２の上端部を切り起こして上側に突出させて形成されている。したがって、係合部２１は、縦材２の上端面から立ち上がって上側（棟側）に開口し、縦材２上面との間にわずかな隙間ができるようになっている。
長孔２２は、係合部２１、２１間に設けられ、この長孔２２には、固定金具３からの差込ボルトが通され、ナットにより締められることで、縦材２が固定金具３上に固定されるようになっている。
縦材２の下端部上面には、スタートカバー４を取り付けるためのねじ穴２３が形成されている。これにより、図7に示すように、スタートカバー４により、太陽電池モジュール１の下に風が入り、その風圧で太陽電池モジュール１が外れないようにすることができる。
【００１６】
太陽電池モジュール１は、図２に示すように、中空枠状のフレーム１１と、このフレーム１１の中空枠内に取り付けられた太陽電池基板１２を有している。
この太陽電池モジュール１は、中空状のフレーム１１内には、ＣＩＳ太陽電池基板と、ＣＩＳ太陽電池基板の背面を覆う耐候性フィルム等からなる背面材１３と、ＣＩＳ太陽電池基板上には基板を保護するための強化処理ガラスが配置され、これらが接着剤により熱圧着されることにより一つの太陽電池基板１２が形成されている。
本実施形態では、ＣＩＳ太陽電池基板を用いているが、本発明はこれに限定されずにシリコン結晶系（単結晶シリコン、多結晶シリコン）又は非結晶系（アモルファスシリコン）又は、化合物系（ＣｄＴｅ、ＧａＡｓなど）の発電を用いた基板や、有機系の太陽電池基板などでもよく、発電素子の種類は特に限定されない。
太陽電池基板１２の背面には、端子箱１５とこの端子箱１５に接続されたケーブルが取り付けられている。
【００１７】
フレーム１１は太陽電池基板１２を保持するためのものである。このフレーム１１の上端部と下端部には、それぞれフレーム１１を屋根上に取り付けるための取付部がフレームの幅方向全体に形成されている。
フレーム１１の上端側の取付部は、図３（ａ）に示すように、太陽電池基板１２を挟持する基板支持部１１ａと、この基板支持部１１ａから水平方向逆向きに伸びだした平板状のモジュール取付部１１ｂと、モジュール取付部１１ｂから取付面側に垂直に延びだして形成された板状の柱部１１ｃと、柱部１１ｃの下端部に柱部１１ｃとほぼ直交するように形成された板状の係合部１１ｄ及び基底部１１ｅが一体に形成されている。
基板支持部１１ａは、太陽電池基板１２を挟持する部分である。
モジュール取付部１１ｂは、図２（ａ）に示すように、穴１１Ｈが４箇所設けられている。この穴１１Ｈは、フレーム１１の幅方向の中心Ｃを基準にして等間隔で対称に設けられ、それぞれ幅方向中心Ｃから距離Ｌ，２Ｌ離れた位置に形成されている。
また、柱部１１ｃには、図２（ｃ）に示すように、太陽電池基板１２により発電された電力を外部に送電するためのケーブルを引き出すための穴１１Ｍが形成されている。
係合部１１ｄは、太陽電池モジュール１が縦材２に取り付けられる際、縦材２の係合部２１に係合するようになっている。
基底部１１ｅは、柱部１１ｃからフレーム外側にそれぞれ向かって延びており、この基底部１１ｅを押さえ金具により押さえることで、太陽電池モジュール１の上端部を縦材２上に固定するようになっている。
【００１８】
また、太陽電池モジュール１の下側の取付部は、図３（ｂ）に示すように、基板１２を取り付ける基板支持部１１jと、この基板支持部１１jから垂直下方に延び出した板状の柱部１１ｆと、柱部１１ｆの下端部からフレーム１の外側に延び出し、隣接する太陽電池モジュール１と接合する接合部１１ｇが一体に形成されている。
基板支持部１１jは、太陽電池基板１２を挟持する部分である。
接合部１１ｇには、図２（ａ）に示すように、上述の穴１１Ｈと対応する位置に４箇所縦長の穴４ｈが設けられ、隣り合う下側の太陽モジュール１のモジュール取付部１１ｂ上に載置され、穴１１Ｈと切り欠き穴１１ｈとの位置を合わせてねじ止めすることで、隣り合う上下の太陽電池モジュール１を固定することができる。
【００１９】
フレーム１１の左右両端部は、図４に示すように基板を支持する基板支持部１１Ｐ、基板支持部１１Ｐから下方に向かって垂直に延びだした側面板１１Ｑと、側面板１１Ｑの下端部をフレーム１１の内方に向かって折り曲げるようにして形成された係合部１１Ｒが形成されている。
基板支持部１１Ｐは、太陽電池基板１２を挟持する部分であり、その上端部には接着剤等により基板が固定されるようになっている。
側面板１１Ｑは、太陽電池モジュール１の底部に風などが入らないようにカバーするものである。
係合部１１Ｒは、フレーム内側に向かって折り曲げられることで、後述する化粧板５の係合部が差し込まれることで係合するようになっている。
【００２０】
次に化粧板５について説明する。化粧板５は、矩形状の太陽電池モジュール１を千鳥状に複数段配置した際に、太陽電池モジュール１が配置されていない端部の空白部を覆うための化粧カバーである。
化粧板５は、図５に示すように、太陽電池モジュール１が取り付けられていない空白部に取り付けられたときに、露出面の太陽電池モジュール１の側面板１１Ｑ及び係合部１１Ｒに接する係合端部５１と、空白部の下段の太陽電池モジュール１のモジュール取付部１１ｂと接する取付端部５２と、上段の太陽電池モジュール１と下段の太陽電池モジュール１の間の空白部分の稜線を形成する外端部５３とを有している。
【００２１】
係合端部５１は、図５に示すように、その先端部に折返部５１ｒが形成された係合部５１ａと、折返部５１ｒが形成されていない平板状の係合部５１ｂからなっている。折返部５１ｒは、外側稜線を形成する外端部５３からの距離Ｓが所定の範囲内で形成されている。つまり、化粧板５を空白部に取り付ける際に、作業者が外端部５３側から化粧板５の下に手を入れて、係合部５１ａに手が届く範囲の箇所に折返部５１ｒが形成されている。従って、折返部５１ｒが上手く係合部１１Ｒと係合しないときには、作業者が手を入れて係合状態を確認したり、係合するように位置合わせすることができる。
また、取付端部５２には切り欠き穴５２Ｈが形成されている。この切り欠き穴５２Ｈは、太陽電池モジュール１が千鳥状に配置された際に、モジュール取付部１１ｂ上で露出した穴１１Ｈに対応する箇所に設けられている。従って、取付端部５２の端から距離Ｌ、切り欠き穴５２Ｈ間も距離Ｌだけ離れて形成されている。
外端部５３は、空白部分の太陽電池モジュール１の上端部と、1段下がった太陽電池モジュールの上端部とを結ぶ稜線を形成する部分である。これにより、外観上、太陽電池モジュール１の間が滑らかに連結された稜線を形成することができる。
【００２２】
次に、本発明にかかる太陽電池モジュール１及び化粧板５の取り付け方法の一例について図を参照して説明する。
本例は、寄棟型の屋根に対して太陽電池ジュール１を取り付ける場合の例である。
まず、図６に示すように縦材２を固定金具３に取り付ける。
この取付は、固定金具３側から差し込みボルトを縦材２の長孔２２側に通して、座金とナットとにより縦材２上部から固定する。
また、最も軒側の縦材２の下端部には、図７に示すようにスタートカバー４を縦材２上にねじ止めして取り付ける。
【００２３】
縦材２及びスタートカバー４の取り付けが完了すると、軒側から順に１段づつ太陽電池モジュール１を取り付けていく。
この場合、図８に示すように、太陽電池モジュール１を縦材２上に仮置きし、その状態で太陽電池モジュール１をわずかに上側にずらすことで、係合部１１ｄを縦材２の係合部２１に引っ掛ける。
そして、太陽電池モジュール１の基底部１１ｅを押さえ金具で押さえて、この押さえ金具をねじ止めすることで太陽電池モジュール１を取り付ける。
【００２４】
また、この際、穴１１Ｍからケーブルを引き出し、左右に隣り合う太陽電池モジュール１を直列に接続する。そして、最終端の太陽電池モジュール１のケーブルを、図示しない集電ケーブルを介して接続箱へ接続することで、屋根全体の太陽電池モジュール１により発電した電力を送電することができる。
【００２５】
この状態からさらに棟側に向かって太陽電池モジュール１を取り付ける場合には、図９（ａ）に示すように太陽電池モジュール１を１／２ずつずらして千鳥状に配置する。
この状態で、図１に示すように千鳥状に配置された太陽電池モジュール１の端に太陽電池モジュール１が配置されない空間部ができる。この空間部は、太陽電池モジュール１の幅の１／２となる。
この空間部に、化粧板５を取り付ける際には、図９（ａ）に示すように隣り合う太陽電池モジュール１の側面板１１Ｑ及び係合部１１Ｒに化粧板５の係合部５１ａ，５１ｂを差し込む。これにより、図４（ｂ）に示すように、係合部５１ａの折返部５１ｒが、係合部１１Ｒに押されるようにして撓み、さらに差し込まれて係合部１１Ｒを越えたところで、その弾力により元に戻って係合部１１Ｒと係合する。これにより、化粧板５が隣り合う太陽電池モジュール１に取り付けられた状態となり、容易には外れないようになる。
また、化粧板５の取付端部５２は、図９（ｃ）に示すように、下段の太陽電池モジュール１のモジュール取付部１１ｂ上に載置され、その切り欠き穴５２Ｈとモジュール取付部１１ｂ上の切り欠き穴１１ｈとの位置を合わせを行う。
そして、位置合わせがされた状態で、穴５２から切り欠き穴１１ｈにねじが挿通されることで、太陽電池モジュール１に継承板５が固定される。
【００２６】
これにより隣り合う太陽電池モジュール１の図示右上端部と下段の太陽電池モジュール１の図示右上端部とを結ぶように、外端部５３が配置される。これにより、太陽電池モジュール１を千鳥状に配置したときにできる太陽電池モジュール１が配置されていない空白部を外観よく仕上げることができる。
また、折返部５１ｒが太陽電池モジュール１の係合部１１Ｒと係合することから、ねじ止めをするまでもなく、簡単に取り付けることができる。
また、折返部５１ｒは、外端部５３からの距離が手の届く範囲に形成されていることから、作業者が手を入れて係合状態を確認したり、又は係合しづらい場合でも手を入れて引掛けることができる。
【００２７】
上述の例では、太陽電池モジュール１を千鳥状に積み上げ、化粧板５を取り付けることで、全体として屋根上に台形状に取り付けた例について説明したが、本発明はこれに限定されず、図１０に示すように太陽電池モジュール１を１／２ずつずれた階段をなす千鳥状に配置し、その際できる空間に化粧板５を配置するようにしてもよい。この場合、図１０に示すように太陽電池モジュール１と化粧板５は全体としては平行四辺形状に配置される。
【００２８】
また、化粧板５の形状は、平面三角形状だけでなく、図１１に示すように平面台形状の化粧板５００としてもよい。この場合、図１１に示すように、太陽電池モジュール１が取り付けられていない空白部に取り付けられたときに、露出面の太陽電池モジュール１の側面板１１Ｑ及び係合部１１Ｒに接する係合端部５０１と、空白部の下段の太陽電池モジュール１のモジュール取付部１１ｂと接する取付端部５０２と、上段の太陽電池モジュール１と下段の太陽電池モジュール１の間の空白部分の稜線を形成するための外端部５０３と、上辺部５０４とを有している。
【００２９】
この場合にも、係合端部５０１の上端部側５０１ａには、折返部５０１ｒが形成されており、この折返部５０１ｒが太陽電池モジュール１の係合部１１Ｒに係合することで、図１２に示すように、化粧板５が太陽電池モジュール１に取り付けられる。この折返部５０１ｒが形成される部分は、外端部５０３から所定の距離、即ち作業者が手を入れて取付等ができる範囲に形成されている。
また、取付端部５０２には切り欠き穴５０２ａが形成されている。この切り欠き穴５０２ａは、下段の太陽電池モジュール１のモジュール取付部１１ｂに重ねられ、ねじ止めされることにより固定される。
また、上辺部５０４は、隣り合う太陽電池モジュールと略面一に形成され、上段側に取り付けられる化粧板５の取付端部が位置するようになる。
【００３０】
このように、図１１に示した例によっても、千鳥状に配置された太陽電池モジュール１の空白部分をカバーして、稜線をそろえ外観を整えることができる。
【００３１】
また、図１３に示すように、台形状の化粧板５００の取付端部５０２を隣り合う太陽電池モジュール１の側面に接するようにし、係合端部５０１を下段の太陽電池モジュール１の上端部に接するように配置してもよい。この場合、化粧板５００が太陽電池モジュール１上で立ち上がるように配置される。
この場合も上述の各実施形態と同様な効果を奏することができる。
【００３２】
なお、太陽電池モジュール１や化粧板５等は屋根でなくともどこにも取り付けることができる。
また、化粧板の平面形状は、上述の実施形態に限定されるものではなく、本発明の趣旨を逸脱しない範囲で種々の形状とすることができる。
【図面の簡単な説明】
【００３３】
【図１】本実施形態にかかる太陽電池モジュールを屋根に取り付けた状態を示す要部平面図。
【図２】（ａ）本実施形態にかかる太陽電池モジュールの正面図。              （ｂ）本実施形態にかかる太陽電池モジュールの右側面図。              （ｃ）本実施形態にかかる太陽電池モジュールの上端平面図。
【図３】（ａ）本実施形態にかかる太陽電池モジュールのフレームの上端部の側面図。（ｂ）本実施形態にかかる太陽電池モジュールのフレームの下端部の側面図。
【図４】本実施形態にかかるフレームの側端面の断面図。
【図５】本実施形態にかかる化粧板の斜視図。
【図６】固定金具に縦材を取り付ける際の工程を示した斜視図。
【図７】本実施形態にかかる縦材にスタートカバーを取り付ける工程を示した斜視図。
【図８】本実施形態にかかる縦材及びスタートカバーに、太陽電池モジュールを取り付けるところを示した斜視図。
【図９】（ａ）本実施形態にかかる化粧板を取り付け方を示した斜視図。              （ｂ）本実施形態にかかる化粧板を太陽電池モジュールへ差し込んだ状態を示した要部断面図。              （ｃ）本実施形態にかかる化粧板を太陽電池モジュールに取り付けるところ示した要部の側面図。
【図１０】別の実施形態にかかる化粧板を取り付け状態の斜視図。
【図１１】別の実施形態にかかる化粧板の斜視図。
【図１２】さらに別の実施形態にかかる化粧板取り付け状態を示した平面図。
【図１３】化粧板のさらに別の取り付け状態を示した平面図。
【符号の説明】
【００３４】
１        太陽電池モジュール
１１      フレーム
１１ａ    基板支持部
１１ｂ    モジュール取付部
１１ｃ    柱部
１１ｄ    係合部
１１ｅ    基底部
１１ｆ    柱部
１１ｇ    接合部
１１ｈ    切り欠き穴
１１Ｈ    穴
１１ｊ    基板支持部
１１Ｍ    穴
１１Ｐ    基板支持部
１１Ｑ    側面板
１１Ｒ    係合部
１２      太陽電池基板
１３      背面材
１５      端子箱
２        縦材
２１      係合部
２２      長孔
２３      ねじ穴
３        固定金具
４        スタートカバー
５        化粧板
５１      係合端部
５１ａ    係合部
５１ｂ    係合部
５１ｒ    折返部
５２      取付端部
５２Ｈ    切り欠き穴
５３      外端部
５００    化粧板
５０１      係合端部
５０１ａ    係合端部５０１の上端部側
５０１ｂ    係合端部５０１の下端部側
５０１ｒ    折返部
５０２      取付端部
５０２ａ    切り欠き穴
５０３      外端部
５０４      上辺部
Ｂ        ボルト
Ｓ        距離
【図１】
2008088687.tif 000003
【図２】
2008088687.tif 000004
【図３】
2008088687.tif 000005
【図４】
2008088687.tif 000006
【図５】
2008088687.tif 000007
【図６】
2008088687.tif 000008
【図７】
2008088687.tif 000009
【図８】
2008088687.tif 000010
【図９】
2008088687.tif 000011
【図１０】
2008088687.tif 000012
【図１１】
2008088687.tif 000013
【図１２】
2008088687.tif 000014
【図１３】
2008088687.tif 000015